(57)【要約】【課題】  作業性に優れる携帯用バンドソーを提供する。【解決手段】  ハウジング２の両端に回転可能に支持された一対の鋸車１０，１１と、これら一対の鋸車１０，１１に張架された帯鋸１２と、ハウジング２の一端寄りに設けられたメイングリップ３と、ハウジング２の他端寄りに設けられたサブグリップ４とを有し、メイングリップ３とサブグリップ４とを把持し、鋸車１０をモータ１３によって回転させ、帯鋸１２によって切断材を切断する携帯用バンドソー１であって、メイングリップ３を上側にし、サブグリップ２を下側にした起立状態にて自立させるスタンド５を一体に備えている。【選択図】        図４
2006212807.tif 000002
【特許請求の範囲】
【請求項１】
ハウジングの両端に回転可能に支持された一対の鋸車と、これら一対の鋸車に張架された帯鋸と、前記ハウジングの一端寄りに設けられたメイングリップと、前記ハウジングの他端寄りに設けられたサブグリップとを有し、前記メイングリップと前記サブグリップとを把持し、前記鋸車をモータによって回転させ、前記帯鋸によって切断材を切断する携帯用バンドソーであって、
前記メイングリップを上側にし、前記サブグリップを下側にした起立状態にて自立させるスタンドを一体に備えていることを特徴とする携帯用バンドソー。
【請求項２】
請求項１に記載の携帯用バンドソーであって、
スタンドは、サブグリップの延長線上に延出するスタンド脚部と、該スタンド脚部から前記サブグリップを覆うように延出するスタンド把持部とを有していることを特徴とする携帯用バンドソー。
【請求項３】
請求項１または２に記載の携帯用バンドソーであって、
サブグリップは、ハウジング側から延出する一対の延出部と、これら一対の延出部間で支持される把持部とを有し、
スタンドは、前記サブグリップの各延出部から延長する一対のスタンド脚部と、これら一対のスタンド脚部間で支持されるスタンド把持部とを有していることを特徴とする携帯用バンドソー。
【発明の詳細な説明】
【技術分野】
【０００１】
本発明は、携帯用バンドソーに関する。
【背景技術】
【０００２】
従来、様々な携帯用バンドソーが知られており、例えば特許文献１や特許文献２の図６に記載された携帯用バンドソーなどが知られている。これら携帯用バンドソーは、ハウジングの両端に回転可能に支持された一対の鋸車と、これら一対の鋸車に張架された帯鋸を有している。そしてハウジングの一端寄りに設けられたメイングリップと、ハウジングの他端寄りに設けられたサブグリップとを有している。そしてメイングリップとサブグリップとが把持され、鋸車をモータによって回転させ、帯鋸によって切断材を切断する構成になっている。
【特許文献１】特開２００１−３００８１９号公報
【特許文献２】特開２００２−６７００１号公報
【発明の開示】
【発明が解決しようとする課題】
【０００３】
しかし従来の携帯用バンドソーは、作業終了時に両グリップを上にした状態で床面の上などに載置されていた。そのため携帯用バンドソーを持上げたり載置したりする際に作業者がいちいち腰を落とす必要があった。そのため作業がしにくいという問題があった。また腰を落とすことが面倒なために、携帯用バンドソーが作業終了時に作業者によって放り投げられ、携帯用バンドソーが破損されてしまうという場合もあった。
この問題を解決するために別体状のスタンドを設け、そのスタンドに携帯用バンドソーを立掛ける形態も考えられ得る。しかしながらこの形態の場合は、作業の終了時にスタンドを探す必要があり、しかもスタンドの向きを考慮する必要もあった。そのため作業性が十分に高いものではなかった。
そこで本発明は、作業性に優れる携帯用バンドソーを提供することを課題とする。
【課題を解決するための手段】
【０００４】
前記課題を解決するために本発明は、各請求項に記載の通りの構成を備える携帯用バンドソーであることを特徴とする。
請求項１に記載の発明によると、メイングリップを上側にし、サブグリップを下側にした起立状態にて自立させるスタンドを一体に備えている。
したがって携帯用バンドソーは、スタンドによって起立した状態で自立する。そのため従来のように携帯用バンドソーを持上げたり載置したりする際にいちいち腰を落とす必要がない。そのため作業者の負担が減る。また腰を落とすことが面倒なために携帯用バンドソーが放り投げられる心配が少なくなり、携帯用バンドソーの破損防止にも繋がる。
しかも携帯用バンドソーは、スタンドを一体に備えている。そのためいちいちスタンドを探したり、いちいちスタンドの向きを考慮したりする必要がない。そのため本発明によると使い勝手が良好になる。
【０００５】
請求項２に記載の発明によると、スタンドは、サブグリップの延長線上に延出するスタンド脚部と、該スタンド脚部からサブグリップを覆うように延出するスタンド把持部とを有している。
したがってスタンドは、サブグリップを把持する作業者の手を保護することができる。またサブグリップの代わりに作業者によって把持され得る構成にもなっている。
【０００６】
請求項３に記載の発明によると、サブグリップは、ハウジング側から延出する一対の延出部と、これら一対の延出部間で支持される把持部とを有している。そしてスタンドは、サブグリップの各延出部から延長する一対のスタンド脚部と、これら一対のスタンド脚部間で支持されるスタンド把持部とを有している。
したがってサブグリップの把持部は、一対のスタンド脚部とスタンド把持部によって覆われている。そのためサブグリップを把持する作業者の手は、スタンド脚部とスタンド把持部とによって保護され得る。
また作業者は、サブグリップの把持部に代えて、スタンド把持部を把持することもできる。
【発明を実施するための最良の形態】
【０００７】
本発明の実施の形態に係る携帯用バンドソー１を図１〜５にしたがって説明する。
携帯用バンドソー（帯鋸装置）１は、図１に示すようにハウジング２と、ハウジング２の左右両端に回転可能に取付けられた鋸車１０，１１と、鋸車１０，１１に張架された帯鋸１２とを有している。そしてハウジング２の一端寄り（右端寄り）にメイングリップ３を有し、ハウジング２の他端寄り（左端寄り）にサブグリップ４と自立用のスタンド５とを有している。
【０００８】
帯鋸１２は、例えば金属製で帯状環状に形成されており、帯鋸１２の下側縁に沿って鋸刃を有している。
ハウジング２は、図１に示すように右殻体２０と左殻体２１とモータハウジング２２を一体に有している。
右殻体２０と左殻体２１は、図３に示すように中空状であって、中央に立設された軸部２０ａ，２１ａを有し、これら軸部２０ａ，２１ａに回転可能に取付けられた鋸車１０，１１を内設している。
【０００９】
モータハウジング２２は、右殻体２０と左殻体２１の上方を跨いで延出し、右殻体２０と左殻体２１を架橋している。モータハウジング２２の上方への角度は、図５に示すように奥側に傾倒している。したがって携帯用バンドソー１は、持上げられた際にモータハウジング２２がほぼ地面に対して鉛直した向きとなり、右殻体２０と左殻体２１が地面に対して傾倒した向きとなる。
右殻体２０の奥側端部と左殻体２１の奥側端部との間には、図１等への記載は省略しているが、これらを連結する連結管が設けられている。そして連結管には、帯鋸１２が挿通されている。したがって帯鋸１２は、手前側の中央部のみ、すなわち右殻体２０と左殻体２１との間で延出しかつ手前側となる部分のみが露出される。
【００１０】
メイングリップ３は、図１に示すように右殻体２０の右端部とモータハウジング２２の右上部間において延出し、作業者が右手で把持し得る構成になっている。そしてメイングリップ３には、図２に示すようにモータ１３をＯＮ・ＯＦＦするためのトリガスイッチ３０が設けられている。
サブグリップ４は、図１に示すように略コ字状であって、モータハウジング２２の左上部から左上方へ水平に平行して延出する一対の延出部４０と、一対の延出部４０間で延出し延出部４０によって両端部が支持される円柱状の把持部４１を有している。このためサブグリップ４は、作業者の左手によって把持され得る構成になっている。
【００１１】
モータハウジング２２内には、図２に示すようにモータ１３が設けられている。
モータ１３と鋸車１０の間には、モータ１３の動力を鋸車１０に伝達する動力伝達機構６が設けられている。動力伝達機構６は、図２，３に示すようにモータハウジング２２および右殻体２０に内設される複数の歯車６０〜６２を主体に構成されている。
【００１２】
スタンド５は、図１に示すように板金などを略コ字状に折曲加工したものであって、一対のスタンド脚部５０とスタンド把持部５１とを一体に有している。
スタンド脚部５０は、サブグリップ４の延出部４０を取付ける取付けねじ４２によってモータハウジング２２に取付けられており、延出部４０を越えて左上方に延長している。
スタンド把持部５１は、一対のスタンド脚部５０の先端間で延出しスタンド脚部５０によって両端部が支持されている。
図４に示すようにメイングリップを上側にし、サブグリップを下側にした起立状態によると、一対のスタンド脚部５０の先端部と、左殻体２１の端部２１ｂが床面に当接する。そしてこれら三点によって携帯用バンドソー１は、起立状態で自立する。
【００１３】
携帯用バンドソー１によって切断材を切断する場合は、右手でメイングリップ３を把持し、左手でサブグリップ４またはスタンド把持部５１を把持し、携帯用バンドソー１を持上げる。これにより携帯用バンドソー１は、図５に示す角度で持上げられる。そしてトリガスイッチ３０を押して（図１参照）、モータ１３を駆動させ、鋸車１０，１１と帯鋸１２とを回転させ、携帯用バンドソー１を切断材Ｗに向けて下ろす。これにより帯鋸１２によって切断材Ｗを切断することができる。
【００１４】
なお帯鋸１２は、図３に示すように露出された部分を除いて鋸車１０，１１の外周端縁に沿って起立している。一方、露出された部分は、図２，５に示すようにローラ１４によって角度が変えられて、モータハウジング２２、サブグリップ４、スタンド５の起立方向とほぼ平行となる角度に変えられている。そのため露出された部分は、図５に示すように切断材Ｗに対してほぼ垂直に押し当てられ得る角度になっている。
【００１５】
以上のようにして携帯用バンドソー１が形成されている。
すなわち携帯用バンドソー１は、図４に示すようにスタンド５を一体に備えている。
したがって携帯用バンドソー１は、スタンド５によって起立した状態で自立する。そのため従来のように携帯用バンドソーを持上げたり載置したりする際にいちいち腰を落とす必要がない。そのため作業者の負担が減る。また腰を落とすことが面倒なために携帯用バンドソーが放り投げられる心配が少なくなり、携帯用バンドソーの破損防止にも繋がる。
しかも携帯用バンドソー１は、スタンド５を一体に備えている。そのためいちいちスタンドを探したり、いちいちスタンドの向きを考慮したりする必要がない。そのため本形態によると使い勝手が良好になる。
【００１６】
またスタンド５は、図１に示すようにサブグリップ４の延長線上に延出するスタンド脚部５０と、スタンド脚部５０からサブグリップ４を覆うように延出するスタンド把持部５１とを有している。
したがってスタンド５は、サブグリップ４を把持する作業者の手を保護することができる。またサブグリップ４の代わりに作業者によって把持され得る構成にもなっている。
【００１７】
またサブグリップ４は、図１に示すように一対の延出部４０と把持部４１を有している。そしてスタンド５は、一対のスタンド脚部５０とスタンド把持部５１とを有している。
したがってサブグリップ４の把持部４１は、一対のスタンド脚部５０とスタンド把持部５１によって覆われている。そのためサブグリップ４を把持する作業者の手は、スタンド脚部５０とスタンド把持部５１とによって保護され得る。
また作業者は、サブグリップ４の把持部４１に代えて、スタンド把持部５１を把持することもできる。
【００１８】
（他の実施の形態）
本発明は、上記の実施の形態に限定されず、以下の形態などであってもよい。
（１）すなわち上記の実施の形態は、スタンドがサブグリップの延出状に設けられる形態であった。しかしスタンドがサブグリップとは別個の位置にてハウジングに対して一体に設けられる形態であっても良い。
（２）また上記の実施の形態は、スタンドがモータハウジングに対して固定される形態であった。しかしスタンドが収納可能にモータハウジングに取付けられる形態であっても良い。例えば、スタンド脚部が延長方向に出没可能にハウジングに設けられ、延出した位置にて位置保持され得る形態、あるいはスタンドの基端部がモータハウジングに回動可能に取付けられ、スタンドが所定の角度にて位置保持され得る形態であっても良い。これによって携帯用バンドソーは、コンパクトに収納することができるようになる。
（３）また上記の実施の形態は、スタンドが板金などを折曲加工したものであって変形しない形態であった。しかしスタンドのスタンド脚部が伸縮自在、または折畳み可能な形態であっても良い。これによって携帯用バンドソーは、コンパクトに収納することができるようになる。
（４）また上記の実施の形態は、サブグリップの延出部と、スタンドのスタンド脚部とが別々の部材から構成されていた。しかしこれらが一つの部材から構成される形態であっても良い。これにより部品点数が少なくなる。
（５）また上記の実施の形態は、モータの動力が動力伝達機構を介して右側の鋸車に伝達される構成になっていた。しかしモータの動力が動力伝達機構によって左側の鋸車に伝達される形態、あるいは左右両方の鋸車に伝達される形態であっても良い。
【図面の簡単な説明】
【００１９】
【図１】携帯用バンドソーの手前上方からの斜視図である。
【図２】携帯用バンドソーの一部断面斜視図である。
【図３】携帯用バンドソーの一部縦断面図である。
【図４】起立状態にした際の携帯用バンドソーの斜視図である。
【図５】使用状態における図１の矢印Ａ方向からの携帯用バンドソーの側面図である。
【符号の説明】
【００２０】
１…携帯用バンドソー
２…ハウジング
３…メイングリップ
４…サブグリップ
５…スタンド
６…動力伝達機構
１０，１１…鋸車
１２…帯鋸
１３…モータ
１４…ローラ
２０…右殻体
２１…左殻体
２２…モータハウジング
４０…延出部
４１…把持部
５０…スタンド脚部
５１…スタンド把持部
【図１】
2006212807.tif 000003
【図２】
2006212807.tif 000004
【図３】
2006212807.tif 000005
【図４】
2006212807.tif 000006
【図５】
2006212807.tif 000007